(57)【特許請求の範囲】
【請求項１】
ランプ支柱及び前記ランプ支柱の上端面に位置する固定ブロックを含み、前記ランプ支柱の中には作動空間が設置され、前記ランプ支柱の頂部の外端面にはランプシェードが固定的に設置され、前記ランプシェードが環状になるように設置され、前記ランプ支柱の外端面には前記ランプシェードの下側に位置する電球柱が固定的に設置され、前記電球柱が左右対称に設置され、前記電球柱の外端壁には電球が固定的に設置され、前記電球によって照明を提供でき、前記ランプシェードの外端面には環状板が固定的に設置され、前記環状板の上端面には磁石が固定的に設置され、前記磁石が前記環状板に沿って円周方向に八個設置され、前記固定ブロックの中には第一空き空間が設置され、前記第一空き空間が上下方向に貫通しており、前記第一空き空間の中には電流転換器が固定的に設置され、前記電流転換器が上方へ前記第一空き空間の外側に伸びており、前記固定ブロックの上端の中には環状空間が固定的に設置され、前記環状空間の中には第一スライダがスライド可能に設置され、前記第一スライダが左右対称に設置され、前記固定ブロックの中には第二空き空間が設置され、前記第二空き空間の中には固定ロッドが固定的に設置され、前記固定ロッドの左右端面が前記第一スライダの内端面に固定的に連結され、前記第一スライダの外端面には回転ロッドが固定的に設置され、前記回転ロッドには風当て板が前後対称且つ固定的に設置され、前記回転ロッドの中には前記風当て板の後側に位置する第三空き空間が固定的に設置され、前記第三空き空間の中には第一回転軸が回転可能に設置され、前記第一回転軸の外端面には羽根が固定的に設置され、前記羽根が前記第一回転軸に沿って円周方向に四本設置され、風が吹く時、前記羽根が回転して前記磁石の間での磁束を切り、生じた電流が前記電流転換器によって前記電球に電力を提供して照明を提供し、風が異なる方向から吹く時、前記風当て板の回転によって前記第一スライダを駆動して回転させ、こうして風が始終に前記羽根に対する垂直状態を保持し、より高効率に風力エネルギーを利用でき、
前記ランプ支柱の右端壁には前記ランプシェードの下側に位置する噴霧器が固定的に設置され、前記噴霧器の下端面には噴霧ノズルが固定的に設置され、前記噴霧ノズルが十一個設置され、前記作動空間の中には前記噴霧器の下側に位置するピストンシリンダーが固定的に設置され、前記ピストンシリンダーの中にはピストン空間が設置され、前記ピストン空間の中には第二スライダがスライド可能に設置され、前記第二スライダと前記ピストン空間の底壁とが第一バネによって連結され、前記第一バネが左右対称に設置され、前記第二スライダの下端面にはピストンロッドが固定的に設置され、前記ピストンロッドが下方へ前記ピストン空間の外側に伸びており、前記ピストンシリンダーには一方向液入り弁が固定的に設置され、前記ピストンシリンダーには前記一方向液入り弁の右側に位置する一方向液出弁が固定的に設置され、前記ピストンシリンダーには前記一方向液出弁の右側に位置する第一抜き孔が固定的に設置され、前記第一抜き孔の中には水出管が固定的に設置され、前記水出管が外へ伸びて前記噴霧器の下端面と固定的に連結され、前記第二スライダが上下方向にスライドして前記ピストン空間の中の水を前記一方向液出弁を介して押し出し、水が前記水出管によって前記噴霧器の中に入り、そして前記噴霧器によって噴霧化された後に、前記噴霧ノズルによって噴出され、温度を下げる効果を達し、
前記ランプ支柱の頂部には前記第一空き空間の下側に位置する第二抜き孔が固定的に設置され、前記第二抜き孔が上下方向に貫通しており、前記ランプ支柱には前記電球柱の内端面に位置する第三抜き孔が固定的に設置され、前記電流転換器の下端面には電流伝達線が固定的に設置され、前記電流伝達線が下方へ伸びて前記第二抜き孔を貫通しており、前記第二抜き孔が両側へ伸びて前記電球柱の内端面に固定的に連結され、こうして電流を前記電球柱の中に伝達し、
前記作動空間の内底壁にはモーターが固定的に設置され、前記モーターには第二回転軸が伝動可能に連結され、前記第二回転軸には第一傘歯車が固定的に設置され、前記作動空間の前後内壁には前記第二回転軸の上側に位置する第三回転軸が回転可能に設置され、前記第三回転軸には第二傘歯車が固定的に設置され、前記第二傘歯車が前記第一傘歯車と噛み合っており、前記作動空間の前後内壁には前記第三回転軸の上側に位置する第四回転軸が回転可能に設置され、前記第四回転軸にはカムが固定的に設置され、前記第四回転軸と前記第三回転軸とがベルトプーリによって伝動可能に連結され、前記カムの外端面が前記ピストンロッドの下端面と当接しており、
前記作動空間の内底壁には前記モーターの左側に位置する蓄電池が固定的に設置され、前記電流伝達線が前記蓄電池の上端面に固定的に連結され、前記蓄電池の右端面にはスライダ箱が固定的に設置され、前記スライダ箱の中にはスライダ空間が設置され、前記スライダ空間の中には第三スライダがスライド可能に設置され、前記第三スライダの底壁と前記スライダ空間の左内壁とが第二バネによって連結され、前記第三スライダの中には第四抜き孔が設置され、前記第四抜き孔が左右方向に貫通しており、前記第四抜き孔の中には電流伝達器が固定的に設置され、前記スライダ箱の中には前記スライダ空間の下側に位置する第一スライド溝が固定的に形成され、前記第一スライド溝が上下方向に貫通しており、前記第三スライダの下端面には連結ロッドが固定的に設置され、前記連結ロッドが前記第一スライド溝を貫通して下方に伸びており、前記第三スライダが右方へ前記モーターと接触するまでスライドした時、前記電流伝達器によって前記蓄電池の中の電流を前記モーターの中に伝達し、前記モーターを始動し、
前記ランプ支柱の底部には前記連結ロッドの下側に位置する第二スライド溝が形成され、前記第二スライド溝の中には第四スライダがスライド可能に設置され、前記第四スライダの上端面と前記連結ロッドの下端面とが固定的に連結され、前記第四スライダの左端面と前記第二スライド溝の左内壁とが第三バネによって連結され、前記ランプ支柱の右底壁には踏板が固定的に設置され、前記踏板の中には第三スライド溝が形成され、前記第三スライド溝の中には第五スライダがスライド可能に設置され、前記第五スライダの下端面と前記第三スライド溝の底壁とが第四バネによって連結され、前記第五スライダの左端面と前記第四スライダの右端面とが第一引き紐によって連結され、前記踏板の中には前記第三スライド溝の右側に位置する第四スライド溝が形成され、前記第四スライド溝が上方へ貫通しており、前記第四スライド溝の中にはスライド板がスライド可能に設置され、前記スライド板の下端面と前記第四スライド溝の底壁とが第五バネによって連結され、前記スライド板の下端面と前記第五スライダの下端面とが第二引き紐によって連結されており、
前記電流伝達器が弾性材料によって作られたものであることを特徴とする風力エネルギーを利用する砂浜の風景ライト。
【発明の詳細な説明】
【技術分野】
【０００１】
本願発明は風力エネルギー分野に関わり、具体的には風力エネルギーを利用する砂浜の風景ライトである。
【背景技術】
【０００２】
風景ライトは観光地で照明用の灯具で、砂浜の風景ライトがその一つで砂浜で散歩する人に照明を提供する。しかし、今の砂浜の風景ライトの多くは浜辺の海風を十分に利用しなく、これは資源浪費になり、また機能が単一で、砂浜で歩く人に他のサービスを提供できなく、従い、上記の問題を解決するために、風力エネルギーを利用する砂浜の風景ライトが必要となり、上記の欠点に対して本願発明は改善を行う。
【先行技術文献】
【特許文献】
【０００３】
【特許文献１】中国特許出願公開第１０５４２３１８９号明細書
【発明の概要】
【発明が解決しようとする課題】
【０００４】
本願発明の解決しようとする問題は風力エネルギーを利用する砂浜の風景ライトを提供することによって上記の問題を解決することである。
【課題を解決するための手段】
【０００５】
本願発明は以下の技術的プランによって実現される。
【０００６】
本願発明の風力エネルギーを利用する砂浜の風景ライトは、ランプ支柱及び前記ランプ支柱の上端面に位置する固定ブロックを含み、前記ランプ支柱の中には作動空間が設置され、前記ランプ支柱の頂部の外端面にはランプシェードが固定的に設置され、前記ランプシェードが環状になるように設置され、前記ランプ支柱の外端面には前記ランプシェードの下側に位置する電球柱が固定的に設置され、前記電球柱が左右対称に設置され、前記電球柱の外端壁には電球が固定的に設置され、前記電球によって照明を提供でき、前記ランプシェードの外端面には環状板が固定的に設置され、前記環状板の上端面には磁石が固定的に設置され、前記磁石が前記環状板に沿って円周方向に八個設置され、前記固定ブロックの中には第一空き空間が設置され、前記第一空き空間が上下方向に貫通しており、前記第一空き空間の中には電流転換器が固定的に設置され、前記電流転換器が上方へ前記第一空き空間の外側に伸びており、前記固定ブロックの上端の中には環状空間が固定的に設置され、前記環状空間の中には第一スライダがスライド可能に設置され、前記第一スライダが左右対称に設置され、前記固定ブロックの中には第二空き空間が設置され、前記第二空き空間の中には固定ロッドが固定的に設置され、前記固定ロッドの左右端面が前記第一スライダの内端面に固定的に連結され、前記第一スライダの外端面には回転ロッドが固定的に設置され、前記回転ロッドには風当て板が前後対称且つ固定的に設置され、前記回転ロッドの中には前記風当て板の後側に位置する第三空き空間が固定的に設置され、前記第三空き空間の中には第一回転軸が回転可能に設置され、前記第一回転軸の外端面には羽根が固定的に設置され、前記羽根が前記第一回転軸に沿って円周方向に四本設置され、風が吹く時、前記羽根が回転して前記磁石の間での磁束を切り、生じた電流が前記電流転換器によって前記電球に電力を提供して照明を提供し、風が異なる方向から吹く時、前記風当て板の回転によって前記第一スライダを駆動して回転させ、こうして風が始終に前記羽根に対する垂直状態を保持し、より高効率に風力エネルギーを利用できる。
【０００７】
有益なように、前記ランプ支柱の右端壁には前記ランプシェードの下側に位置する噴霧器が固定的に設置され、前記噴霧器の下端面には噴霧ノズルが固定的に設置され、前記噴霧ノズルが十一個設置され、前記作動空間の中には前記噴霧器の下側に位置するピストンシリンダーが固定的に設置され、前記ピストンシリンダーの中にはピストン空間が設置され、前記ピストン空間の中には第二スライダがスライド可能に設置され、前記第二スライダと前記ピストン空間の底壁とが第一バネによって連結され、前記第一バネが左右対称に設置され、前記第二スライダの下端面にはピストンロッドが固定的に設置され、前記ピストンロッドが下方へ前記ピストン空間の外側に伸びており、前記ピストンシリンダーには一方向液入り弁が固定的に設置され、前記ピストンシリンダーには前記一方向液入り弁の右側に位置する一方向液出弁が固定的に設置され、前記ピストンシリンダーには前記一方向液出弁の右側に位置する第一抜き孔が固定的に設置され、前記第一抜き孔の中には水出管が固定的に設置され、前記水出管が外へ伸びて前記噴霧器の下端面と固定的に連結され、前記第二スライダが上下方向にスライドして前記ピストン空間の中の水を前記一方向液出弁を介して押し出し、水が前記水出管によって前記噴霧器の中に入り、そして前記噴霧器によって噴霧化された後に、前記噴霧ノズルによって噴出され、温度を下げる効果を達する。
【０００８】
有益なように、前記ランプ支柱の頂部には前記第一空き空間の下側に位置する第二抜き孔が固定的に設置され、前記第二抜き孔が上下方向に貫通しており、前記ランプ支柱には前記電球柱の内端面に位置する第三抜き孔が固定的に設置され、前記電流転換器の下端面には電流伝達線が固定的に設置され、前記電流伝達線が下方へ伸びて前記第二抜き孔を貫通しており、前記第二抜き孔が両側へ伸びて前記電球柱の内端面に固定的に連結され、こうして電流を前記電球柱の中に伝達する。
【０００９】
有益なように、前記作動空間の内底壁にはモーターが固定的に設置され、前記モーターには第二回転軸が伝動可能に連結され、前記第二回転軸には第一傘歯車が固定的に設置され、前記作動空間の前後内壁には前記第二回転軸の上側に位置する第三回転軸が回転可能に設置され、前記第三回転軸には第二傘歯車が固定的に設置され、前記第二傘歯車が前記第一傘歯車と噛み合っており、前記作動空間の前後内壁には前記第三回転軸の上側に位置する第四回転軸が回転可能に設置され、前記第四回転軸にはカムが固定的に設置され、前記第四回転軸と前記第三回転軸とがベルトプーリによって伝動可能に連結され、前記カムの外端面が前記ピストンロッドの下端面と当接している。
【００１０】
有益なように、前記作動空間の内底壁には前記モーターの左側に位置する蓄電池が固定的に設置され、前記電流伝達線が前記蓄電池の上端面に固定的に連結され、前記蓄電池の右端面にはスライダ箱が固定的に設置され、前記スライダ箱の中にはスライダ空間が設置され、前記スライダ空間の中には第三スライダがスライド可能に設置され、前記第三スライダの底壁と前記スライダ空間の左内壁とが第二バネによって連結され、前記第三スライダの中には第四抜き孔が設置され、前記第四抜き孔が左右方向に貫通しており、前記第四抜き孔の中には電流伝達器が固定的に設置され、前記スライダ箱の中には前記スライダ空間の下側に位置する第一スライド溝が固定的に形成され、前記第一スライド溝が上下方向に貫通しており、前記第三スライダの下端面には連結ロッドが固定的に設置され、前記連結ロッドが前記第一スライド溝を貫通して下方に伸びており、前記第三スライダが右方へ前記モーターと接触するまでスライドした時、前記電流伝達器によって前記蓄電池の中の電流を前記モーターの中に伝達し、前記モーターを始動する。
【００１１】
有益なように、前記ランプ支柱の底部には前記連結ロッドの下側に位置する第二スライド溝が形成され、前記第二スライド溝の中には第四スライダがスライド可能に設置され、前記第四スライダの上端面と前記連結ロッドの下端面とが固定的に連結され、前記第四スライダの左端面と前記第二スライド溝の左内壁とが第三バネによって連結され、前記ランプ支柱の右底壁には踏板が固定的に設置され、前記踏板の中には第三スライド溝が形成され、前記第三スライド溝の中には第五スライダがスライド可能に設置され、前記第五スライダの下端面と前記第三スライド溝の底壁とが第四バネによって連結され、前記第五スライダの左端面と前記第四スライダの右端面とが第一引き紐によって連結され、前記踏板の中には前記第三スライド溝の右側に位置する第四スライド溝が形成され、前記第四スライド溝が上方へ貫通しており、前記第四スライド溝の中にはスライド板がスライド可能に設置され、前記スライド板の下端面と前記第四スライド溝の底壁とが第五バネによって連結され、前記スライド板の下端面と前記第五スライダの下端面とが第二引き紐によって連結されている。
【００１２】
有益なように、前記電流伝達器が弾性材料によって作られたものである。
【発明の効果】
【００１３】
本願発明の効果は：本願発明の風力エネルギーを利用する砂浜の風景ライトは砂浜の風を利用して砂浜で散歩する人に照明を提供でき、砂辺の海風を十分に利用し、省エネルギーと排出削減を実現し、本願発明はまた風の吹く方向によって羽根の角度を変えられ、こうして海風が始終に鉛直状態を保持し、高効率に海風を利用してエネルギーを生み出せ、人がライトの下方に立つ時、本願発明はまた水煙を噴き出せ、風景ライトの周りの温度を下げて通行人が涼しく感じられる。
【図面の簡単な説明】
【００１４】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の風力エネルギーを利用する砂浜の風景ライトの全体構成概略図
【図２】図２は図１のＡ―Ａの構成概略図
【図３】図３は図１のＢの構成概略図
【図４】図４は図１のＣの構成概略図
【図５】図５は図１のＤの構成概略図
【図６】図６は図１のＥの構成概略図
【発明を実施するための形態】
【００１６】
下記に附図説明と実施例を合わせて本願発明についてさらなる説明を行い、本願発明は以下の実施例を含むが以下の実施例に限定されたものではない。
【００１７】
附図１〜６に示すように、風力エネルギーを利用する砂浜の風景ライトであって、ランプ支柱１０及び前記ランプ支柱１０の上端面に位置する固定ブロック２５を含み、前記ランプ支柱１０の中には作動空間１１が設置され、前記ランプ支柱１０の頂部の外端面にはランプシェード２１が固定的に設置され、前記ランプシェード２１が環状になるように設置され、前記ランプ支柱１０の外端面には前記ランプシェード２１の下側に位置する電球柱１９が固定的に設置され、前記電球柱１９が左右対称に設置され、前記電球柱１９の外端壁には電球２０が固定的に設置され、前記電球２０によって照明を提供でき、前記ランプシェード２１の外端面には環状板３２が固定的に設置され、前記環状板３２の上端面には磁石３１が固定的に設置され、前記磁石３１が前記環状板３２に沿って円周方向に八個設置され、前記固定ブロック２５の中には第一空き空間２７が設置され、前記第一空き空間２７が上下方向に貫通しており、前記第一空き空間２７の中には電流転換器２４が固定的に設置され、前記電流転換器２４が上方へ前記第一空き空間２７の外側に伸びており、前記固定ブロック２５の上端の中には環状空間２９が固定的に設置され、前記環状空間２９の中には第一スライダ３０がスライド可能に設置され、前記第一スライダ３０が左右対称に設置され、前記固定ブロック２５の中には第二空き空間４９が設置され、前記第二空き空間４９の中には固定ロッド４８が固定的に設置され、前記固定ロッド４８の左右端面が前記第一スライダ３０の内端面に固定的に連結され、前記第一スライダ３０の外端面には回転ロッド２６が固定的に設置され、前記回転ロッド２６には風当て板２８が前後対称且つ固定的に設置され、前記回転ロッド２６の中には前記風当て板２８の後側に位置する第三空き空間４７が固定的に設置され、前記第三空き空間４７の中には第一回転軸２２が回転可能に設置され、前記第一回転軸２２の外端面には羽根２３が固定的に設置され、前記羽根２３が前記第一回転軸２２に沿って円周方向に四本設置され、風が吹く時、前記羽根２３が回転して前記磁石３１の間での磁束を切り、生じた電流が前記電流転換器２４によって前記電球２０に電力を提供して照明を提供し、風が異なる方向から吹く時、前記風当て板２８の回転によって前記第一スライダ３０を駆動して回転させ、こうして風が始終に前記羽根２３に対する垂直状態を保持し、より高効率に風力エネルギーを利用できる。
【００１８】
有益なように、前記ランプ支柱１０の右端壁には前記ランプシェード２１の下側に位置する噴霧器３３が固定的に設置され、前記噴霧器３３の下端面には噴霧ノズル３４が固定的に設置され、前記噴霧ノズル３４が十一個設置され、前記作動空間１１の中には前記噴霧器３３の下側に位置するピストンシリンダー１５が固定的に設置され、前記ピストンシリンダー１５の中にはピストン空間１６が設置され、前記ピストン空間１６の中には第二スライダ６９がスライド可能に設置され、前記第二スライダ６９と前記ピストン空間１６の底壁とが第一バネ６８によって連結され、前記第一バネ６８が左右対称に設置され、前記第二スライダ６９の下端面にはピストンロッド１４が固定的に設置され、前記ピストンロッド１４が下方へ前記ピストン空間１６の外側に伸びており、前記ピストンシリンダー１５には一方向液入り弁７０が固定的に設置され、前記ピストンシリンダー１５には前記一方向液入り弁７０の右側に位置する一方向液出弁６７が固定的に設置され、前記ピストンシリンダー１５には前記一方向液出弁６７の右側に位置する第一抜き孔６６が固定的に設置され、前記第一抜き孔６６の中には水出管３５が固定的に設置され、前記水出管３５が外へ伸びて前記噴霧器３３の下端面と固定的に連結され、前記第二スライダ６９が上下方向にスライドして前記ピストン空間１６の中の水を前記一方向液出弁６７を介して押し出し、水が前記水出管３５によって前記噴霧器３３の中に入り、そして前記噴霧器３３によって噴霧化された後に、前記噴霧ノズル３４によって噴出され、温度を下げる効果を達する。
【００１９】
有益なように、前記ランプ支柱１０の頂部には前記第一空き空間２７の下側に位置する第二抜き孔７１が固定的に設置され、前記第二抜き孔７１が上下方向に貫通しており、前記ランプ支柱１０には前記電球柱１９の内端面に位置する第三抜き孔１８が固定的に設置され、前記電流転換器２４の下端面には電流伝達線１７が固定的に設置され、前記電流伝達線１７が下方へ伸びて前記第二抜き孔７１を貫通しており、前記第二抜き孔７１が両側へ伸びて前記電球柱１９の内端面に固定的に連結され、こうして電流を前記電球柱１９の中に伝達する。
【００２０】
有益なように、前記作動空間１１の内底壁にはモーター４５が固定的に設置され、前記モーター４５には第二回転軸３９が伝動可能に連結され、前記第二回転軸３９には第一傘歯車３８が固定的に設置され、前記作動空間１１の前後内壁には前記第二回転軸３９の上側に位置する第三回転軸３７が回転可能に設置され、前記第三回転軸３７には第二傘歯車３６が固定的に設置され、前記第二傘歯車３６が前記第一傘歯車３８と噛み合っており、前記作動空間１１の前後内壁には前記第三回転軸３７の上側に位置する第四回転軸１３が回転可能に設置され、前記第四回転軸１３にはカム１２が固定的に設置され、前記第四回転軸１３と前記第三回転軸３７とがベルトプーリ７２によって伝動可能に連結され、前記カム１２の外端面が前記ピストンロッド１４の下端面と当接している。
【００２１】
有益なように、前記作動空間１１の内底壁には前記モーター４５の左側に位置する蓄電池４６が固定的に設置され、前記電流伝達線１７が前記蓄電池４６の上端面に固定的に連結され、前記蓄電池４６の右端面にはスライダ箱５１が固定的に設置され、前記スライダ箱５１の中にはスライダ空間５２が設置され、前記スライダ空間５２の中には第三スライダ５４がスライド可能に設置され、前記第三スライダ５４の底壁と前記スライダ空間５２の左内壁とが第二バネ５３によって連結され、前記第三スライダ５４の中には第四抜き孔５０が設置され、前記第四抜き孔５０が左右方向に貫通しており、前記第四抜き孔５０の中には電流伝達器５５が固定的に設置され、前記スライダ箱５１の中には前記スライダ空間５２の下側に位置する第一スライド溝５７が固定的に形成され、前記第一スライド溝５７が上下方向に貫通しており、前記第三スライダ５４の下端面には連結ロッド６０が固定的に設置され、前記連結ロッド６０が前記第一スライド溝５７を貫通して下方に伸びており、前記第三スライダ５４が右方へ前記モーター４５と接触するまでスライドした時、前記電流伝達器５５によって前記蓄電池４６の中の電流を前記モーター４５の中に伝達し、前記モーター４５を始動する。
【００２２】
有益なように、前記ランプ支柱１０の底部には前記連結ロッド６０の下側に位置する第二スライド溝５９が形成され、前記第二スライド溝５９の中には第四スライダ６１がスライド可能に設置され、前記第四スライダ６０の上端面と前記連結ロッド６０の下端面とが固定的に連結され、前記第四スライダ６１の左端面と前記第二スライド溝５９の左内壁とが第三バネ６２によって連結され、前記ランプ支柱１０の右底壁には踏板４４が固定的に設置され、前記踏板４４の中には第三スライド溝４０が形成され、前記第三スライド溝４０の中には第五スライダ６５がスライド可能に設置され、前記第五スライダ６５の下端面と前記第三スライド溝４０の底壁とが第四バネ６４によって連結され、前記第五スライダ６５の左端面と前記第四スライダ６１の右端面とが第一引き紐５８によって連結され、前記踏板４４の中には前記第三スライド溝４０の右側に位置する第四スライド溝４３が形成され、前記第四スライド溝４３が上方へ貫通しており、前記第四スライド溝４３の中にはスライド板４２がスライド可能に設置され、前記スライド板４２の下端面と前記第四スライド溝４３の底壁とが第五バネ４１によって連結され、前記スライド板４２の下端面と前記第五スライダ６５の下端面とが第二引き紐６３によって連結されている。
【００２３】
有益なように、前記電流伝達器５５が弾性材料によって作られたものである。
【００２４】
本願発明の機械動作の順序は以下の通りである。
【００２５】
本願発明は初期状態にある時、スライド板４２が第四スライド溝４３の内上側に位置し、第五バネ４１が緩んだ状態にあり、第二引き紐６３が引っ張られた状態にあり、第四バネが圧縮された状態にあり、第一引き紐５８が緩んだ状態にあり、第三バネ６２が緩んだ状態にあり、第二バネ５３が緩んだ状態にあり、第三スライダ５４がモーター４５と接触していなく、第二スライダ６９がピストン空間１６の内下側に位置している。
【００２６】
１．風が吹く時、風が羽根２３を駆動して回転させ、羽根２３が回転して磁石３１の間での磁束を切る。
２．磁束を切ることを通じて生じた電流が前記電流転換器２４に通った後、電流伝達線１７によって電球柱１９の中に伝達され、電球２０に照明用の電力を提供する。
３．風の吹く方向が変わった時、風が風当て板２８に当てて風当て板２８を駆動して回転させ、風当て板２８が回転して回転ロッド２６を駆動して回転させ、回転ロッド２６が回転して第一スライダ３０を駆動して環状空間２９の中で回転させ、第一スライダ３０が風の吹く方向と垂直になるまで回転を止め、風が吹いてくる時、羽根２３に最大の回転速度を保つことができ、より高効率に風力エネルギーを利用できる。
４．生じて残った電流が電流伝達線１７によって蓄電池４６の中に伝達されて貯蔵される。
５．人が踏板４４に立つ時、スライド板４２が下方にスライドして第五バネ４１を押圧し、スライド板４２が下方にスライドして第二引き紐６３を緩め、第二引き紐６３が緩くなることで第四バネ６４を復帰させ、第四バネ６４が復帰して第五スライダ６５を駆動して上方に移動させ、第五スライダ６５が上方へ移動することによって第一引き紐５８を引き動かす。
６．第一引き紐５８が引き動かされることによって第四スライダ６１は右方にスライドし、第四スライダ６１のスライドによって連結ロッド６０が右方に移動し、連結ロッド６０の右方への移動によって第三スライダ５４を駆動して右方に移動させ、第三スライダ５４が右方へモーター４５と接触するまで移動した時、電流伝達器５５によって蓄電池４６の中の電流をモーター４５の中に伝達し、モーター４５を始動する。
７．モーター４５が起動して第二回転軸３９を駆動して回転させ、第二回転軸３９の回転によって第一傘歯車３８を駆動して回転させ、第一傘歯車３８が第二傘歯車３６と噛み合っているため、第一傘歯車３８の回転で第二傘歯車３６は回転し、第二傘歯車３６の回転によって第三回転軸３７を駆動して回転させ、第三回転軸３７と第四回転軸１３とがベルトプーリ７２によって伝動可能に連結されているため、第三回転軸３７の回転によって第四回転軸１３は回転する。
８．第四回転軸１３の回転によってカム１２を駆動して回転させ、カム１２の回転によってピストンロッド１４が上下方向への運動を止まらずに行い、ピストンロッド１４の上下方向への運動によって第二スライダ６９の上下方向への運動を行わせてピストン空間１６の中の水を押圧する。
９．ピストン空間１６の中の水が一方向液出弁６７を介して水出管３５の中にプッシュされ、そして水出管３５によって噴霧器３３の中に入り、噴霧器３３で水を噴霧化してから噴霧ノズル３４によって噴き出し、温度を下げる効果を達する。
１０．人が離れた時、本願発明は初期状態に戻る。
【００２７】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は風力エネルギーを利用する砂浜の風景ライトを開示した。
【解決手段】
ランプ支柱及び前記ランプ支柱の上端面に位置する固定ブロックを含み、前記ランプ支柱の中には作動空間が設置され、前記ランプ支柱の頂部の外端面にはランプシェードが固定的に設置され、前記ランプシェードが環状になるように設置され、本願発明の風力エネルギーを利用する砂浜の風景ライトは砂浜の風を利用して砂浜で散歩する人に照明を提供でき、砂辺の海風を十分に利用し、省エネルギーと排出削減を実現し、本願発明はまた風の吹く方向によって羽根の角度を変えられ、こうして海風が始終に鉛直状態を保持し、高効率に海風を利用してエネルギーを生み出せ、人がライトの下方に立つ時、本願発明はまた水煙を噴き出せ、風景ライトの周りの温度を下げて通行人が涼しく感じられる。
【選択図】図１【図１】
0006810864.tif 000002
【図２】
0006810864.tif 000003
【図３】
0006810864.tif 000004
【図４】
0006810864.tif 000005
【図５】
0006810864.tif 000006
【図６】
0006810864.tif 000007